(57)【要約】【課題】ガイドレールの中間部から所定距離上方までの高さ領域における昇降路内機器の芯出し固定作業を含む各種作業を、円滑に行うことができるエレベータの据付工法の提供。【解決手段】乗かご縦枠９の上端部に中間作業床１４を取り付けるとともに、最下部ガイドレール３ａに固定した中間作業床固定雇１６により中間作業床１４を最下部ガイドレール３ａに支持させ、この中間作業床１４から昇降路内機器である１階出入口１５の上部の芯出し固定作業を行う。その後、乗かご縦枠９を吊り上げて上昇させ、この上昇した位置で再び中間作業床固定雇１６により中間作業床１４を最下部ガイドレール３ａに支持させて、この中間作業床１４上から昇降路内機器の芯出し固定作業を含む各種作業を行うようにしてある。【選択図】図７
2010265065.tif 000002
【特許請求の範囲】
【請求項１】
昇降路内に立設される複数対のガイドレールの最下部ガイドレールの下端部を芯出し固定した後、この最下部ガイドレールに乗かご縦枠を係合させ、前記最下部ガイドレールの中間部に乗かご床固定雇を介して乗かご床を支持させ、この乗かご床上から前記最下部ガイドレールの上端部の芯出し固定作業を行うエレベータの据付工法において、
前記最下部ガイドレールの上端部の芯出し固定作業を行い、その後、前記乗かご縦枠の上端部に中間作業床を取り付けるとともに、前記最下部ガイドレールに固定した中間作業床固定雇により前記中間作業床を最下部ガイドレールに支持させ、この中間作業床上から昇降路内機器の芯出し固定作業を含む各種作業を行い、その後、前記乗かご縦枠を吊り上げて上昇させ、この上昇した位置で再び前記中間作業床固定雇により前記中間作業床を前記最下部ガイドレールに支持させ、この中間作業床上から昇降路内機器の芯出し固定作業を含む各種作業を行うことを特徴とするエレベータの据付工法。
【請求項２】
請求項１に記載のエレベータの据付工法において、
前記中間作業床からの芯出し固定作業を含む各種作業の終了後、前記乗かご縦枠をさらに吊り上げて乗かご縦枠の下端部と前記乗かご床とを連結して乗かごの組み立てを行うことを特徴とするエレベータの据付工法。
【発明の詳細な説明】
【技術分野】
【０００１】
本発明は、乗かごを作業足場として昇降路内機器の芯出し固定を含む各種作業を行うエレベータの据付工法に関する。
【背景技術】
【０００２】
この種の従来技術として特許文献１に示されるものがある。この従来技術における据付工法にあっては、始めに、昇降路内に複数対設けられるガイドレールの最下部ガイドレールの下端部を芯出し固定し、その後、この最下部ガイドレールに乗かご縦枠を係合させるようにする。次に、最下部ガイドレールの中間部に乗かご床固定雇を介して乗かご床を支持させ、この乗かご床上から最下部ガイドレールの上端部の芯出し固定を行う。最後に、乗かご縦枠を吊り上げて、乗かご縦枠の下端部と乗かご床とを連結して乗かごの組み立てを行うようにしたものである。
【先行技術文献】
【特許文献】
【０００３】
【特許文献１】特開平０９−２０２５６３号公報
【発明の概要】
【発明が解決しようとする課題】
【０００４】
上述した従来技術によれば、最下部ガイドレールの中間部に固定した乗かご床上から芯出し固定作業を含む各種作業をした後、乗かご縦枠を吊り上げて乗かご縦枠の下端部と乗かご床とを連結して乗かごを組立てるようにしているので、乗かごの組み立て後は、乗かご上を作業床としなければならない。このために、最下部ガイドレールの中間部の位置と、乗かごを組立てた時点における乗かご上の位置との間の高さ領域、すなわち、ガイドレールの中間部から所定距離上方までの高さ領域において行う昇降路内機器の芯出し固定作業を含む各種作業については十分な考慮がなされていなかった。したがって、従来技術にあっては、ガイドレールの中間部から所定距離上方までの高さ領域において行う昇降路内機器の芯出し固定作業を含む各種作業が煩雑なものになりやすかった。
【０００５】
本発明は、上述した従来技術における実状からなされたもので、その目的は、ガイドレールの中間部から所定距離上方までの高さ領域における昇降路内機器の芯出し固定作業を含む各種作業を、円滑に行うことができるエレベータの据付工法を提供することにある。
【課題を解決するための手段】
【０００６】
上記目的を達成するために、本発明に係るエレベータの据付工法は、昇降路内に立設される複数対のガイドレールの最下部ガイドレールの下端部を芯出し固定した後、この最下部ガイドレールに乗かご縦枠を係合させ、前記最下部ガイドレールの中間部に乗かご床固定雇を介して乗かご床を支持させ、この乗かご床上から前記最下部ガイドレールの上端部の芯出し固定作業を行うエレベータの据付工法において、前記最下部ガイドレールの上端部の芯出し固定作業を行い、その後、前記乗かご縦枠の上端部に中間作業床を取り付けるとともに、前記最下部ガイドレールに固定した中間作業床固定雇により前記中間作業床を最下部ガイドレールに支持させ、この中間作業床上から昇降路内機器の芯出し固定作業を含む各種作業を行い、その後、前記乗かご縦枠を吊り上げて上昇させ、この上昇した位置で再び前記中間作業床固定雇により前記中間作業床を前記最下部ガイドレールに支持させ、この中間作業床上から昇降路内機器の芯出し固定作業を含む各種作業を行うことを特徴としている。
【０００７】
このように構成した本発明は、乗かご縦枠を吊り上げて上昇させることにより、この乗かご縦枠の上端部に取り付けられた中間作業床を、最下部ガイドレールの中間部から所定距離までの高さ領域において、最下部ガイドレールに支持させることができる。これにより、その高さ領域内に配置される中間作業床から昇降路内機器の芯出し固定作業を含む各種作業を行うことができる。すなわち、ガイドレールの中間部から所定距離上方までの高さ領域における昇降路内機器の芯出し固定作業を含む各種作業を、中間作業床から円滑に行うことができる。
【０００８】
また、本発明に係るエレベータの据付工法は、前記発明において、前記中間作業床からの芯出し固定作業を含む各種作業の終了後、前記乗かご縦枠をさらに吊り上げて乗かご縦枠の下端部と前記乗かご床とを連結して乗かごの組み立てを行うことを特徴としている。
【発明の効果】
【０００９】
本発明は、乗かご縦枠の上端部に中間作業床を取り付けるとともに最下部ガイドレールに固定した中間作業床固定雇により中間作業床を最下部ガイドレールに支持させ、この中間作業床上から昇降路内機器の芯出し固定作業を含む各種作業を行った後、乗かご縦枠を吊り上げて上昇させ、この上昇した位置で再び中間作業床固定雇により中間作業床を最下部ガイドレールに支持させ、この中間作業床上から昇降路内機器の芯出し固定作業を含む各種作業を行うようにしたことから、ガイドレールの中間部から所定距離上方までの高さ領域における昇降路内機器の芯出し固定作業を含む各種作業を、中間作業床から円滑に行うことができる。これにより、従来に比べて昇降路内機器の芯出し固定作業を含む各種作業の能率を向上させることができる。
【図面の簡単な説明】
【００１０】
【図１】本発明に係るエレベータの据付工法の一実施形態を説明する図で、最下部ガイドレールを立設固定する状態を示す昇降路斜視図である。
【図２】本発明に係るエレベータの据付工法の一実施形態を説明する図で、乗かご床を最下部ガイドレールに支持させた状態を示す昇降路斜視図である。
【図３】本発明に係るエレベータの据付工法の一実施形態を説明する図で、中間作業床を乗かご縦枠の上端部に取り付けた状態を示す昇降路斜視図である。
【図４】本発明に係るエレベータの据付工法の一実施形態を説明する図で、中間作業床を図３に示す状態から上昇させたときの状態を示す昇降路斜視図である。
【図５】本発明に係るエレベータの据付工法の一実施形態を説明する図で、乗かご縦枠と乗かご床とを連結した状態を示す昇降路斜視図である。
【図６】本発明に係るエレベータの据付工法の一実施形態を説明する図で、乗かごを最終形まで組立てた状態を示す昇降路斜視図である。
【図７】本発明に係るエレベータの据付工法の一実施形態を説明する図で、図３，４に対応する昇降路縦断面図である。
【発明を実施するための最良の形態】
【００１１】
以下、本発明に係るエレベータの据付工法の実施の形態を図に基づいて説明する。
【００１２】
図１〜７は本発明に係るエレベータの据付工法の一実施形態を説明する図で、図１は最下部ガイドレールを立設固定する状態を示す昇降路斜視図、図２は乗かご床を最下部ガイドレールに支持させた状態を示す昇降路斜視図である。図３は中間作業床を乗かご縦枠の上端部に取り付けた状態を示す昇降路斜視図、図４は中間作業床を図３に示す状態から上昇させたときの状態を示す昇降路斜視図である。図５は乗かご縦枠と乗かご床とを連結した状態を示す昇降路斜視図、図６は乗かごを最終形まで組立てた状態を示す昇降路斜視図である。図７は図３，４に対応する昇降路縦断面図である。
【００１３】
本発明に係る据付工法の一実施形態の対象とするエレベータは、例えば２階床用エレベータであり、本実施形態に係る据付工法は、以下のようにして昇降路内機器の芯出し固定作業を含む各種作業を行うものである。
【００１４】
すなわち、まず始めに図１，７に示すように、２階乗場３０から昇降路１に上部作業床２を設置し、この上部作業床２から昇降路１の上部に上部テンプレート６を設置し、この上部テンプレート６から図示しないピアノ線を垂下させる。このように垂下させたピアノ線の下端を昇降路１底部に設けられるピットベース５に取り付けられた図示しない下部テンプレートに固定し、これによって昇降路１の全工程にピアノ線を張設する。次に、昇降路１の底部で、最下段のガイドレールブラケット４１を、昇降路１の横壁に取り付け、一対のかご側ガイドレールの最下部ガイドレール３ａのそれぞれ、及び一対のつり合いおもりガイドレールの最下部ガイドレール３ｂのそれぞれをピットベース５上に立設し、これらの最下部ガイドレール３ａ，３ｂをガイドレールブラケット４１で固定後、最下部ガイドレール３ａ，３ｂを前述のピアノ線を基準として、正規位置に芯出し位置決めし、固定する。
【００１５】
次いで図２に示すように、乗かご床固定雇７を最下部ガイドレール３ａの中間部に、すなわち昇降路１の底部床面より例えば１８００ｍｍ程度上方の位置に取り付ける。そして、乗かご縦枠９を最下部ガイドレール３ａに係合させた状態で、その底部が昇降路１の床面に当接するように降ろし、その後昇降路１内に取り込んだ乗かご床８を、乗かご床固定雇７に支持させる。
【００１６】
次に、乗かご床８を作業床とし、２段目のガイドレールブラケット４２を取り付け、最下部ガイドレール３ａ，３ｂと芯出し固定する作業を行い、その後、巻上機１０の据付け作業を行う。また、後述の図３で示す中間作業床１４を設置するための準備として、上部作業床２上にて昇降路１の上部の横壁に揚重装置１１を設置し、この揚重装置１１のフック部１１ａに中間作業床１４の引き上げ用のワイヤロープ１２を取り付ける。
【００１７】
図２に示す乗かご床８上の作業では、昇降路内機器の芯出し固定作業を含む各種作業ができない高さ領域が存在する。このため、図７に破線で示す中間作業床１４を、実線で示す位置までの間の適切な高さ位置に上昇させることにより、この中間作業床１４から前述の高さ領域における昇降路内機器の芯出し固定作業を含む各種作業を行う。中間作業床１４は、図３に示すように、乗かご縦枠９の上端部に取り付けられたトリダイ１３へ床部材を取り付けることにより構成されている。
【００１８】
中間作業床１４の上昇は、揚重装置１１のフック部１１ａに取り付けたワイヤロープ１２を、乗かご縦枠９に巻き付けた状態で揚重装置１１を動作させて乗かご縦枠９を引き上げることにより行われる。そして、作業者の作業し易い所定の高さ位置まで乗かご縦枠９及び中間作業床１４を上昇させ、このときの中間作業床１４の高さ位置に近接するガイドレール３ａの部分に中間作業床固定雇１６を取り付ける。その後、中間作業床１４の底部を構成するトリダイ１３を、中間作業床固定雇１６で支持固定することにより、中間作業床１４を最下部ガイドレール３ａに支持させる。
【００１９】
すなわち、中間作業床１４を用いて、図３に示すように、中間作業床１４から１階出入口１５の上部の芯出し固定作業を行い、その後図４に示すように、中間作業床１４を上昇させ、この上昇させた中間作業床１４上から３段目のガイドレールブラケット４３を昇降路１の横壁に固定し、この３段目のガイドレールブラケット４３とガイドレール３ａ，３ｂとを芯出し固定する。さらに上昇させた中間作業床１４上から、２階出入口１７の下部の芯出し固定、つり合いおもり２２の搬入、芯出し固定、制御盤１８の芯出し固定、テールコード１９の布設、塔内配線２０の配線作業等を行う。
【００２０】
次に、上部作業床２から頂部機器２１及び４段目のブラケット４４の芯出し固定作業を行い、その後テンプレート６を取り外す。その後、図５に示すように、中間作業床１４を解体して乗かご縦枠９と乗かご床８とを連結し、エレベータロープ２３のローピング作業を行う。さらにその後、図６に示すように、揚重装置１１を取外し、上部作業床２を解体し、乗かご側板２４、乗かご天井２５を乗かご縦枠９に組み込んで、乗かご２６を最終的な形状まで組み立てる。その後乗かご床固定雇７を取り外せば、本実施形態に係るエレベータの据付工法は完了する。
【００２１】
以上のようにして、昇降路内機器の芯出し固定作業を含む各種作業を行う本実施形態に係るエレベータの据付工法によれば、乗かご縦枠９の上端部に中間作業床１４を取り付けるとともに、最下部ガイドレール３ａに固定した中間作業床固定雇１６により中間作業床１４を最下部ガイドレール３ａに支持させ、この中間作業床１４上から昇降路内機器である１階出入口１５の上部の芯出し固定作業を行い、その後、乗かご縦枠９を吊り上げて上昇させ、この上昇させた位置で再び中間作業床固定雇１６により中間作業床１４を最下部ガイドレール３ａに支持させ、この中間作業床１４上から３段目のガイドレールブラケット４３とガイドレール３ａ，３ｂとの芯出し固定作業を含む各種作業を行うようにしたことから、最下部ガイドレール３ａの中間部から所定距離上方までの高さ領域における昇降路内機器の芯出し固定作業を含む各種作業を、中間作業床１４を介して円滑に行うことができる。これにより、昇降路内機器の芯出し固定作業を含む各種作業の能率を向上させることができる。
【符号の説明】
【００２２】
１    昇降路
２    上部作業床
３ａ  最下部ガイドレール
３ｂ  最下部ガイドレール
７    乗かご床固定雇
８    乗かご床
９    乗かご縦枠
１０    巻上機
１１    揚重装置
１２    ワイヤロープ
１３    トリダイ
１４    中間作業床
１５    １階出入口
１６    中間作業床固定雇
１７    ２階出入口
１８    制御盤
１９    テールコード
２０    塔内配線
２１    頂部機器
２２    つり合いおもり
２３    エレベータロープ
２６    乗かご
３０    ２階乗場
４１    ガイドレールブラケット
４２    ガイドレールブラケット
４３    ガイドレールブラケット
４４    ガイドレールブラケット
【図１】
2010265065.tif 000003
【図２】
2010265065.tif 000004
【図３】
2010265065.tif 000005
【図４】
2010265065.tif 000006
【図５】
2010265065.tif 000007
【図６】
2010265065.tif 000008
【図７】
2010265065.tif 000009